(57)【要約】【課題】接続された外部表示装置に、操作者の意図した画面内容を確実に表示出力することができるマルチモニタ表示制御機能付き電子機器及びマルチモニタ表示制御方法を提供すること。【解決手段】ノートＰＣ１の表示モード設定制御部３２は、通信インターフェース５５が外部表示装置１０の接続を検出した場合、マルチモニタ表示制御部３１による本体表示画面Ｅ１及び外部表示画面Ｅ２に対するマルチモニタ表示制御処理を一時停止するとともに、マルチモニタ表示制御処理の表示モードを選択する表示モード選択画面Ｐ１を本体表示画面Ｅ１上に表示出力し、表示モードが選択された場合、マルチモニタ表示制御部３１に、該選択された表示モードに対応するマルチモニタ表示制御処理を実行させる。【選択図】図１
2018017758.tif 000002
【特許請求の範囲】
【請求項１】
表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御機能付き電子機器であって、
前記外部表示装置が前記電子機器に接続されたか否かを検出する接続検出部と、
前記接続検出部が前記外部表示装置の接続を検出した場合、前記本体表示画面及び前記外部表示画面に対するマルチモニタ表示制御処理を一時停止するとともに、前記マルチモニタ表示制御処理の表示モードを選択する表示モード選択画面を表示出力し、前記表示モードが選択された場合に該選択された表示モードに対応するマルチモニタ表示制御処理を実行させる表示モード設定制御部と、
を備えたことを特徴とするマルチモニタ表示制御機能付き電子機器。
【請求項２】
前記表示モード設定制御部は、前記表示モード選択画面とともに、選択された表示モードを保存するか否かのチェックボックスを表示し、保存がチェックされた場合に、選択された表示モードを保存することを特徴とする請求項１に記載のマルチモニタ表示制御機能付き電子機器。
【請求項３】
前記表示モード設定制御部は、予め設定された前記表示モードが保存されている場合であって、前記電子機器に外部表示装置が再度接続された場合、前記本体表示画面及び前記外部表示画面に対するマルチモニタ表示制御処理を一時停止するとともに、前記表示モード選択画面に替えて、保存された表示モードの選択確認を促す選択確認ポップアップ画面を表示し、所定時間経過後に該選択確認ポップアップ画面を消去し、選択確認された表示モードに対応するマルチモニタ表示制御処理を実行させることを特徴とする請求項１または２に記載のマルチモニタ表示制御機能付き電子機器。
【請求項４】
前記表示モード設定制御部は、前記選択確認ポップアップ画面が選択された場合、前記表示モード選択画面を表示することを特徴とする請求項３に記載のマルチモニタ表示制御機能付き電子機器。
【請求項５】
前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする請求項１〜４のいずれか一つに記載のマルチモニタ表示制御機能付き電子機器。
【請求項６】
前記表示モード設定制御部は、前記表示モード選択画面、前記チェックボックス、または前記選択確認ポップアップ画面を、前記外部表示画面に表示することを特徴とする請求項３〜５のいずれか一つに記載のマルチモニタ表示制御機能付き電子機器。
【請求項７】
前記外部表示装置は、プロジェクタであり、外部表示画面は投影画面であることを特徴とする請求項１〜６のいずれか一つに記載のマルチモニタ表示制御機能付き電子機器。
【請求項８】
前記表示モード設定制御部は、前記表示モード選択画面を表示するためのアイコンを表示画面上に配置することを特徴とする請求項１〜７のいずれか一つに記載のマルチモニタ表示制御機能付き電子機器。
【請求項９】
表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御方法であって、
前記外部表示装置が前記電子機器に接続された場合、前記本体表示画面及び前記外部表示画面に対するマルチモニタ表示制御処理を一時停止するとともに、前記マルチモニタ表示制御処理の表示モードを選択する表示モード選択画面を表示出力し、前記表示モードが選択された場合に該選択された表示モードに対応するマルチモニタ表示制御処理を実行させることを特徴とするマルチモニタ表示制御方法。
【請求項１０】
前記表示モード選択画面とともに、選択された表示モードを保存するか否かのチェックボックスを表示し、保存がチェックされた場合に、選択された表示モードを保存することを特徴とする請求項９に記載のマルチモニタ表示制御方法。
【請求項１１】
予め設定された前記表示モードが保存されている場合であって、前記電子機器に外部表示装置が再度接続された場合、前記本体表示画面及び前記外部表示画面に対するマルチモニタ表示制御処理を一時停止するとともに、前記表示モード選択画面に替えて、保存された表示モードの選択確認を促す選択確認ポップアップ画面を表示し、所定時間経過後に該選択確認ポップアップ画面を消去し、選択確認された表示モードに対応するマルチモニタ表示制御処理を実行させることを特徴とする請求項９または１０に記載のマルチモニタ表示制御方法。
【請求項１２】
前記選択確認ポップアップ画面が選択された場合、前記表示モード選択画面を表示することを特徴とする請求項１１に記載のマルチモニタ表示制御方法。
【請求項１３】
前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする請求項９〜１２のいずれか一つに記載のマルチモニタ表示制御方法。
【請求項１４】
前記表示モード選択画面、前記チェックボックス、または前記選択確認ポップアップ画面を、前記外部表示画面に表示することを特徴とする請求項１１〜１３のいずれか一つに記載のマルチモニタ表示制御方法。
【請求項１５】
前記外部表示装置は、プロジェクタであり、外部表示画面は投影画面であることを特徴とする請求項９〜１４のいずれか一つに記載のマルチモニタ表示制御方法。
【請求項１６】
前記表示モード選択画面を表示するためのアイコンを表示画面上に配置することを特徴とする請求項９〜１５のいずれか一つに記載のマルチモニタ表示制御方法。
【発明の詳細な説明】
【技術分野】
【０００１】
本発明は、接続された外部表示装置に、操作者の意図した画面内容を確実に表示出力することができるマルチモニタ表示制御機能付き電子機器及びマルチモニタ表示制御方法に関する。
【背景技術】
【０００２】
従来から、コンピュータ機器などの電子機器では、マルチモニタ対応のオペレーティングシステムを用いて、１つの端末に２台以上の表示装置を接続し、ユーザの意図に応じて２台以上の表示装置を、あたかも１台の表示装置を分離したかのごとく、同一システム上で任意に使用できるものがある。
【０００３】
例えば、特許文献１には、小画面の表示装置を大画面の表示装置の側面または上面に配置し、両表示画面を同じオペレーティングシステムで駆動させるマルチモニタが記載されている。
【先行技術文献】
【特許文献】
【０００４】
【特許文献１】特開２００４−６２１７７号公報
【発明の概要】
【発明が解決しようとする課題】
【０００５】
ところで、近年、マルチモニタを用いてプレゼンテーションなどを行う場合が多い。この場合、プレゼンテーションを行う操作者は、自身が持ち運んだノートＰＣなどの電子機器に、プロジェクタや大画面液晶表示装置などの外部表示装置に接続し、例えば、ミラー表示モードで、操作者がノートＰＣを操作することによって、ノートＰＣの画面の内容を外部出力装置で表示していた。
【０００６】
しかし、ノートＰＣのマルチモニタ設定がミラー表示モードに設定されている場合、外部表示装置の接続とともに、直ちにノートＰＣの画面の内容が外部表示装置に表示されてしまう。ノートＰＣの画面内容によっては、外部表示装置に表示させたくない内容も含まれているため、直ちにマルチ表示モードを切り替えたいが、その操作は特殊キーを押下する等、一般ユーザには知られていないのが現状である。特殊キーの操作は、例えば、特殊キーの操作ファンクションキー「Ｆｎ」とＦナンバーキー（例えば「Ｆ７」）とを同時に押下することであり、この押下によって、マルチ表示モードが切り替わる。
【０００７】
たとえ、特殊キーの操作によってマルチ表示モードが切り替わっても、ミラー表示モードに設定されていると、一瞬であってもノートＰＣの画面内容が外部表示装置に表示されてしまい、操作者の意図しない画面内容が外部表示装置に表示されることになる。
【０００８】
本発明は、上記に鑑みてなされたものであって、接続された外部表示装置に、操作者の意図した画面内容を確実に表示出力することができるマルチモニタ表示制御機能付き電子機器及びマルチモニタ表示制御方法を提供することを目的とする。
【課題を解決するための手段】
【０００９】
上述した課題を解決し、目的を達成するために、本発明にかかるマルチモニタ表示制御機能付き電子機器は、表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御機能付き電子機器であって、前記外部表示装置が前記電子機器に接続されたか否かを検出する接続検出部と、前記接続検出部が前記外部表示装置の接続を検出した場合、前記本体表示画面及び前記外部表示画面に対するマルチモニタ表示制御処理を一時停止するとともに、前記マルチモニタ表示制御処理の表示モードを選択する表示モード選択画面を表示出力し、前記表示モードが選択された場合に該選択された表示モードに対応するマルチモニタ表示制御処理を実行させる表示モード設定制御部と、を備えたことを特徴とする。
【００１０】
また、本発明にかかるマルチモニタ表示制御機能付き電子機器は、上記の発明において、前記表示モード設定制御部は、前記表示モード選択画面とともに、選択された表示モードを保存するか否かのチェックボックスを表示し、保存がチェックされた場合に、選択された表示モードを保存することを特徴とする。
【００１１】
また、本発明にかかるマルチモニタ表示制御機能付き電子機器は、上記の発明において、前記表示モード設定制御部は、予め設定された前記表示モードが保存されている場合であって、前記電子機器に外部表示装置が再度接続された場合、前記本体表示画面及び前記外部表示画面に対するマルチモニタ表示制御処理を一時停止するとともに、前記表示モード選択画面に替えて、保存された表示モードの選択確認を促す選択確認ポップアップ画面を表示し、所定時間経過後に該選択確認ポップアップ画面を消去し、選択確認された表示モードに対応するマルチモニタ表示制御処理を実行させることを特徴とする。
【００１２】
また、本発明にかかるマルチモニタ表示制御機能付き電子機器は、上記の発明において、前記表示モード設定制御部は、前記選択確認ポップアップ画面が選択された場合、前記表示モード選択画面を表示することを特徴とする。
【００１３】
また、本発明にかかるマルチモニタ表示制御機能付き電子機器は、上記の発明において、前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする。
【００１４】
また、本発明にかかるマルチモニタ表示制御機能付き電子機器は、上記の発明において、前記表示モード設定制御部は、前記表示モード選択画面、前記チェックボックス、または前記選択確認ポップアップ画面を、前記外部表示画面に表示することを特徴とする。
【００１５】
また、本発明にかかるマルチモニタ表示制御機能付き電子機器は、上記の発明において、前記外部表示装置は、プロジェクタであり、外部表示画面は投影画面であることを特徴とする。
【００１６】
また、本発明にかかるマルチモニタ表示制御機能付き電子機器は、上記の発明において、前記表示モード設定制御部は、前記表示モード選択画面を表示するためのアイコンを表示画面上に配置することを特徴とする。
【００１７】
また、本発明にかかるマルチモニタ表示制御方法は、表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御方法であって、前記外部表示装置が前記電子機器に接続された場合、前記本体表示画面及び前記外部表示画面に対するマルチモニタ表示制御処理を一時停止するとともに、前記マルチモニタ表示制御処理の表示モードを選択する表示モード選択画面を表示出力し、前記表示モードが選択された場合に該選択された表示モードに対応するマルチモニタ表示制御処理を実行させることを特徴とする。
【００１８】
また、本発明にかかるマルチモニタ表示制御方法は、上記の発明において、前記表示モード選択画面とともに、選択された表示モードを保存するか否かのチェックボックスを表示し、保存がチェックされた場合に、選択された表示モードを保存することを特徴とする。
【００１９】
また、本発明にかかるマルチモニタ表示制御方法は、上記の発明において、予め設定された前記表示モードが保存されている場合であって、前記電子機器に外部表示装置が再度接続された場合、前記本体表示画面及び前記外部表示画面に対するマルチモニタ表示制御処理を一時停止するとともに、前記表示モード選択画面に替えて、保存された表示モードの選択確認を促す選択確認ポップアップ画面を表示し、所定時間経過後に該選択確認ポップアップ画面を消去し、選択確認された表示モードに対応するマルチモニタ表示制御処理を実行させることを特徴とする。
【００２０】
また、本発明にかかるマルチモニタ表示制御方法は、上記の発明において、前記選択確認ポップアップ画面が選択された場合、前記表示モード選択画面を表示することを特徴とする。
【００２１】
また、本発明にかかるマルチモニタ表示制御方法は、上記の発明において、前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする。
【００２２】
また、本発明にかかるマルチモニタ表示制御方法は、上記の発明において、前記表示モード選択画面、前記チェックボックス、または前記選択確認ポップアップ画面を、前記外部表示画面に表示することを特徴とする。
【００２３】
また、本発明にかかるマルチモニタ表示制御方法は、上記の発明において、前記外部表示装置は、プロジェクタであり、外部表示画面は投影画面であることを特徴とする。
【００２４】
また、本発明にかかるマルチモニタ表示制御方法は、上記の発明において、前記表示モード選択画面を表示するためのアイコンを表示画面上に配置することを特徴とする。
【発明の効果】
【００２５】
本発明によれば、表示モード設定制御部は、接続検出部が外部表示装置の接続を検出した場合、本体表示画面及び外部表示画面に対するマルチモニタ表示制御処理を一時停止するとともに、マルチモニタ表示制御処理の表示モードを選択する表示モード選択画面を表示出力し、表示モードが選択された場合に該選択された表示モードに対応するマルチモニタ表示制御処理を実行させるようにし、外部表示装置の接続時に、設定されている表示モードに応じて本体表示画面の内容が外部表示画面上に直ちに表示されないようにしている。これにより、接続された外部表示装置の外部表示画面に、操作者の意図した画面内容を確実に表示出力することができる。
【図面の簡単な説明】
【００２６】
【図１】図１は、本実施の形態である電子機器の一例であるノートＰＣに外部表示装置が接続された状態を示すブロック図である。
【図２】図２は、表示モード選択画面の一例を示す図である。
【図３】図３は、表示モード設定制御部による表示モード設定制御処理手順を示すフローチャートである。
【図４】図４は、外部表示装置が接続された時の本体表示画面と外部表示画面の表示状態と、その後ミラー表示モードが選択された時の本体表示画面と外部表示画面の表示状態とを示す図である。
【図５】図５は、予め表示モードが設定された状態で外部表示装置が接続された時の本体表示画面と外部表示画面の表示状態と、その後ミラー表示モードが選択された時の本体表示画面と外部表示画面の表示状態とを示す図である。
【図６】図６は、表示モード選択画面を外部表示画面上に表示した一例を示す図である。
【発明を実施するための形態】
【００２７】
以下、添付図面を参照してこの発明を実施するための形態について説明する。
【００２８】
（全体構成）
図１は、本実施の形態である電子機器の一例であるノートＰＣ１に外部表示装置１０が接続された状態を示すブロック図である。図１に示すように、ノートＰＣ１は、外部表示装置１０にビデオケーブル５０を介して接続される。ノートＰＣ１は、入出力部２、制御部３、記憶部４を有する。
【００２９】
入出力部２は、表示部２１と入力部２２とを有する。表示部２１は、例えば液晶表示される本体表示画面Ｅ１を有する。入力部２２は、マウス、キーボード、ポインティングデバイスなどである。
【００３０】
外部表示装置１０は、表示部１１を有する。表示部１１は、例えば液晶表示される外部表示画面Ｅ２を有する。ビデオケーブル５０は、プラグ５２が外部表示装置１０側の通信インターフェース５６のポート５４に嵌めこまれ、プラグ５１がノートＰＣ１側の通信インターフェース５５のポート５３に嵌めこまれることによって、外部表示装置１０とノートＰＣ１とが接続される。
【００３１】
制御部３は、マルチモニタ表示制御部３１と表示モード設定制御部３２とを有する。記憶部４は、予め設定されたマルチモニタ表示に関する表示モードを保持する。また、記憶部４は、本体表示画面Ｅ１や外部表示画面Ｅ２に表示すべきコンテンツ４２を保持する。マルチモニタ表示制御部３１は、設定された各種表示モードに従い、本体表示画面Ｅ１及び外部表示画面Ｅ２に対して、表示モードに対応したマルチモニタ表示制御を行う。表示モード設定制御部３２は、外部表示装置１０がノートＰＣ１に接続された場合、本体表示画面Ｅ１及び外部表示画面Ｅ２に対するマルチモニタ表示制御処理を、マルチモニタ表示制御部３１に対する割り込み処理を行って一時停止させ、マルチモニタ表示制御処理の表示モードを選択する表示モード選択画面Ｐ１を本体表示画面Ｅ１上に表示出力し、表示モード選択画面Ｐ１上で選択された表示モードに対応するマルチモニタ表示制御処理をマルチモニタ表示制御部３１に対して実行させる制御を行う。なお、表示モード選択画面Ｐ１内には、選択された表示モードを設定保存するか否かのチェックボックスＰ２が表示される。また、本体表示画面Ｅ１上、例えば左下には、表示モード選択画面Ｐ１を任意に表示できる表示モード選択画面表示のためのアイコンＩ１が配置されている。
【００３２】
なお、表示モードには、本体表示画面Ｅ１のみに表示する本体表示モード、本体表示画面Ｅ１及び外部表示画面Ｅ２に同一の表示内容を表示するミラー表示モード、外部表示画面Ｅ２を本体表示画面Ｅ１のサブ表示画面とする拡張表示モード、及び外部表示画面Ｅ２のみに表示するセカンドスクリーンモードである外部表示モードがある。
【００３３】
図２は、表示モード選択画面Ｐ１の一例を示す図である。図２に示すように、本体表示モードｍ１、ミラー表示モードｍ２、拡張表示モードｍ３、外部表示モードｍ４の各内容が解るように、模式的なグラフィカル表示を加えておくことが好ましい。
【００３４】
図１の通信インターフェース５５は、プラグ５１がポート５３に接続されたか否かを検出する接続検出部としての機能を有する。通信インターフェース５５は、プラグ５１とポート５３との接続検出結果を制御部３に通知する。このプラグ５１とポート５３との接続検出は、物理的な検出であってもよいし、ソフトウェア的な検出であってもよい。なお、図１では、ノートＰＣ１と外部表示装置１０とが有線接続されているが、これに限らず、無線接続されてもよい。無線接続の場合、通信インターフェース５５，５６との間の通信が確立した時点で、通信インターフェース５５は、外部表示装置１０が接続されたことを制御部３に通知する。また、ビデオケーブル５０に限らず、ＵＳＢケーブルなどであってもよい。
【００３５】
（表示モード設定制御処理）
つぎに、図３に示したフローチャートを参照して、表示モード設定制御部３２による表示モード設定制御処理手順について説明する。まず、表示モード設定制御部３２は、ポート５３にプラグ５１が接続されたか否かを判断する（ステップＳ１０１）。ポート５３にプラグ５１が接続されていない場合（ステップＳ１０１，Ｎｏ）には、本判断処理を繰り返す。一方、ポート５３にプラグ５１が接続された場合（ステップＳ１０１，Ｙｅｓ）には、さらに記憶部４内に設定保存された表示モード４１があるか否かを判断する（ステップＳ１０２）。設定保存された表示モード４１がない場合（ステップＳ１０２，Ｎｏ）、すなわち表示モード４１がなく表示モードがデフォルト状態である場合、表示モード設定制御部３２は、マルチモニタ表示制御処理の一時停止を行い、さらに表示モード選択画面Ｐ１の表示を行う（ステップＳ１０３）。
【００３６】
その後、表示モード選択画面Ｐ１で表示モードが選択されたか否かを判断する（ステップＳ１０４）。表示モード選択画面Ｐ１で表示モードが選択されていない場合（ステップＳ１０４，Ｎｏ）には、本判断処理を繰り返す。一方、表示モード選択画面Ｐ１で表示モードが選択された場合（ステップＳ１０４，Ｙｅｓ）には、さらにチェックボックスＰ２で設定保存がチェックされているか否かを判断する（ステップＳ１０５）。
【００３７】
チェックボックスＰ２で設定保存がチェックされている場合（ステップＳ１０５，Ｙｅｓ）には、選択された表示モードを記憶部４に設定保存し（ステップＳ１０６）、さらに表示モード選択画面Ｐ１を消去し、選択された表示モードに対応するマルチモニタ表示制御処理の実行をマルチモニタ表示制御部３１に指示する（ステップＳ１０７）。一方、チェックボックスＰ２で設定保存がチェックされていない場合（ステップＳ１０５，Ｎｏ）には、ステップＳ１０７に移行し、上述したステップＳ１０７の処理を行う。
【００３８】
その後、表示モード設定制御部３２は、表示モード選択画面表示のためのアイコンＩ１  が選択されたか否かを判断する（ステップＳ１０８）。アイコンＩ１が選択された場合（ステップＳ１０８，Ｙｅｓ）には、表示モード選択画面Ｐ１を表示し（ステップＳ１１０）、ステップＳ１０４に移行する。一方、アイコンＩ１が選択されていない場合（ステップＳ１０８，Ｎｏ）には、さらにポート５３からプラグ５１が外されたか否かを判断する（ステップＳ１０９）。ポート５３からプラグ５１が外されていない場合（ステップＳ１０９，Ｎｏ）には、ステップＳ１０８に移行して上述した処理を繰り返す。一方、ポート５３からプラグ５１が外された場合（ステップＳ１０９，Ｙｅｓ）には、本処理を終了する。
【００３９】
具体的には、図４（ａ）に示すように、表示モード設定制御部３２は、外部表示装置１０が接続された場合、本体表示画面Ｅ１の右側に表示モード選択画面Ｐ１を表示する。この状態では、本体表示画面Ｅ１には、「Ａ」が表示されるが、外部表示画面Ｅ２上には何も表示されない。その後、図４（ｂ）に示すように、ミラー表示モードが選択されると、ミラー表示モードに対応して、本体表示画面Ｅ１及び外部表示画面Ｅ２に「Ａ」が表示される。
【００４０】
したがって、外部表示装置１０がノートＰＣ１に接続された時点で、意図せず、直ちに、本体表示画面Ｅ１上の「Ａ」が外部表示画面Ｅ２上に表示されることはない。すなわち、外部表示画面Ｅ２を用いて表示する際、表示モード選択画面Ｐ１の表示と表示モードの選択という処理を介在させて、外部表示画面Ｅ２での表示前にワンクッションを置くようにしている。このワンクッション置いた処理によって、外部表示画面Ｅ２での不用意な表示の発生を未然に防止することができる。また、ケーブル接続をトリガとして表示モード選択画面Ｐ１を表示するようにしているので、ケーブル接続時に外部表示画面Ｅ２に何も表示されなくても、表示動作に関して操作者に安心感を与えることにもなる。
【００４１】
一方、図３に戻り、設定保存された表示モード４１がある場合（ステップＳ１０２，Ｙｅｓ）、表示モード設定制御部３２は、マルチモニタ表示制御処理の一時停止を行い、さらに、設定保存された表示モード４１の選択確認を促す選択確認ポップアップ画面Ｐ３（図５参照）の表示を行う（ステップＳ１１１）。選択確認ポップアップ画面Ｐ３は、例えば、図５（ａ）に示すように、現在、設定保存されている表示モード４１が「ミラー表示モード」であることを確認するためにポップアップ表示される。
【００４２】
その後、選択確認ポップアップ画面Ｐ３の選択が行われたか否かを判断する（ステップＳ１１２）。選択確認ポップアップ画面Ｐ３には、「クリックでメニュー表示」というメッセージが記載されており、選択確認ポップアップ画面Ｐ３の選択が行われた場合（ステップＳ１１２，Ｙｅｓ）には、選択確認ポップアップ画面Ｐ３に替えて、表示モード選択画面Ｐ１を表示する（ステップＳ１１０）。すなわち、選択確認ポップアップ画面Ｐ３を選択すると、現在設定されている表示モードでの表示ではなく、新たな表示モードを選択設定することになる。
【００４３】
一方、選択確認ポップアップ画面Ｐ３の選択が行われない場合（ステップＳ１１２，Ｎｏ）には、さらに所定時間、例えば数秒、経過したか否かを判断する（ステップＳ１１３）。所定時間経過しない場合（ステップＳ１１３，Ｎｏ）には、ステップＳ１１２に移行し、所定時間経過した場合（ステップＳ１１３，Ｙｅｓ）には、選択確認ポップアップ画面Ｐ３を消去し、表示された表示モードに対応するマルチモニタ表示制御処理の実行をマルチモニタ表示制御部３１に指示し（ステップＳ１１４）、ステップＳ１０８に移行する。
【００４４】
すなわち、図５（ａ）に示すように、表示モード４１が設定されている場合には、表示モード選択画面Ｐ１に替えて、設定されている表示モードの確認を行うための選択確認ポップアップ画面Ｐ３が本体表示画面Ｅ１に表示され、外部表示画面Ｅ２には何も表示されない。表示された表示モードで実行したい場合には、そのままの状態で所定時間経過すると、図５（ｂ）に示すように、例えば、ミラー表示モードで、本体表示画面Ｅ１及び外部表示画面Ｅ２に「Ａ」が表示される。なお、他の表示モードに変えたい場合、選択確認ポップアップ画面Ｐ３を選択し、表示モード選択画面Ｐ１を表示するようにしている。
【００４５】
このため、外部表示装置１０がノートＰＣ１に接続された時点で、例えば、表示モードがミラー表示モードに設定されていたとしても、所定時間経過するまで選択確認ポップアップ画面Ｐ３が表示され、本体表示画面Ｅ１上の「Ａ」が外部表示画面Ｅ２上に表示されることはない。これにより、外部表示装置１０がノートＰＣ１に接続された時点で、意図せず、直ちに、本体表示画面Ｅ１上の「Ａ」が外部表示画面Ｅ２上に表示されることはない。
【００４６】
すなわち、外部表示画面Ｅ２を用いて表示する際、選択確認ポップアップ画面Ｐ３の表示と所定時間の経過という処理を介在させて、外部表示画面Ｅ２での表示前にワンクッションを置くようにしている。このワンクッション置いた処理によって、外部表示画面Ｅ２での不用意な表示の発生を未然に防止することができる。また、ケーブル接続をトリガとして選択確認ポップアップ画面Ｐ３を表示するようにしているので、ケーブル接続時に外部表示画面Ｅ２に何も表示されなくても、表示動作に関して操作者に安心感を与えることにもなる。
【００４７】
（表示モード選択画面及び選択確認ポップアップ画面の表示）
上述した実施の形態では、表示モード選択画面Ｐ１、選択確認ポップアップ画面Ｐ３、アイコンＩ１は、本体表示画面Ｅ１上に表示されていたが、これらは、外部表示画面Ｅ２上に表示しても問題がない。すなわち、プレゼンテーション参加者などの第３者に対して表示しても問題のない内容である。したがって、表示モード選択画面Ｐ１、選択確認ポップアップ画面Ｐ３、アイコンＩ１は、外部表示画面Ｅ２上に表示してもよい。
【００４８】
例えば、図６（ａ）に示すように、外部表示画面Ｅ２上に表示モード選択画面Ｐ１を表示してもよい。この場合、外部表示画面Ｅ２には、壁紙などの背景画面Ｅ２１を表示することが好ましい。ここで、例えば、表示モード選択画面Ｐ１でミラー表示モードが選択されると、図６（ｂ）に示すように、本体表示画面Ｅ１上及び外部表示画面Ｅ２上に「Ａ」が表示される。
【００４９】
なお、上述した実施の形態では、外部表示装置１０の一例として液晶表示装置を示したが、これに限らず、外部表示装置１０は、プロジェクタであってもよい。この場合、外部表示画面Ｅ２は、投影画面となる。
【符号の説明】
【００５０】
１  ノートＰＣ
２  入出力部
３  制御部
４  記憶部
１０  外部表示装置
１１，２１  表示部
２２  入力部
３１  マルチモニタ表示制御部
３２  表示モード設定制御部
４１  表示モード
４２  コンテンツ
５０  ビデオケーブル
５１，５２  プラグ
５３，５４  ポート
５５，５６  通信インターフェース
Ｅ１  本体表示画面
Ｅ２  外部表示画面
Ｅ２１  背景画面
Ｉ１  アイコン
Ｐ１  表示モード選択画面
Ｐ２  チェックボックス
Ｐ３  選択確認ポップアップ画面
【図１】
2018017758.tif 000003
【図２】
2018017758.tif 000004
【図３】
2018017758.tif 000005
【図４】
2018017758.tif 000006
【図５】
2018017758.tif 000007
【図６】
2018017758.tif 000008
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御機能付き電子機器であって、
前記外部表示装置が前記電子機器に接続されたか否かを検出する接続検出部と、
前記接続検出部が前記外部表示装置の接続を検出し、かつ、前記本体表示画面及び前記外部表示画面に対するマルチモニタ表示制御処理の表示モードが予め設定保存されていない場合、前記マルチモニタ表示制御処理を一時停止するとともに、前記マルチモニタ表示制御処理の表示モードを選択する表示モード選択画面を表示出力し、前記表示モード選択画面で選択された表示モードに対応するマルチモニタ表示制御処理を実行させ、前記接続検出部が前記外部表示装置の接続を検出し、かつ、前記本体表示画面及び前記外部表示画面に対するマルチモニタ表示制御処理の表示モードが予め設定保存されている場合、前記マルチモニタ表示制御処理を一時停止するとともに、設定保存された表示モードを表示して該表示モードの選択確認を促す選択確認ポップアップ画面を表示し、該選択確認ポップアップ画面の表示後、所定時間経過前に該選択確認ポップアップ画面が選択された場合、前記表示モード選択画面を表示出力し、前記表示モード選択画面で選択された表示モードに対応するマルチモニタ表示制御処理を実行させ、該選択確認ポップアップ画面の表示後、該選択確認ポップアップ画面が選択されず所定時間経過した場合、該選択確認ポップアップ画面を消去し、該選択確認ポップアップ画面に表示された表示モードに対応するマルチモニタ表示制御処理を実行させる表示モード設定制御部と、
を備えたことを特徴とするマルチモニタ表示制御機能付き電子機器。
【請求項２】
前記表示モード設定制御部は、前記表示モード選択画面とともに、選択された表示モードを保存するか否かのチェックボックスを表示し、保存がチェックされた場合に、選択された表示モードを保存することを特徴とする請求項１に記載のマルチモニタ表示制御機能付き電子機器。
【請求項３】
前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする請求項１または２に記載のマルチモニタ表示制御機能付き電子機器。
【請求項４】
前記表示モード設定制御部は、前記表示モード選択画面、前記チェックボックス、または前記選択確認ポップアップ画面を、前記外部表示画面に表示することを特徴とする請求項１〜３のいずれか一つに記載のマルチモニタ表示制御機能付き電子機器。
【請求項５】
前記外部表示装置は、プロジェクタであり、外部表示画面は投影画面であることを特徴とする請求項１〜４のいずれか一つに記載のマルチモニタ表示制御機能付き電子機器。
【請求項６】
前記表示モード設定制御部は、前記表示モード選択画面を表示するためのアイコンを表示画面上に配置することを特徴とする請求項１〜５のいずれか一つに記載のマルチモニタ表示制御機能付き電子機器。
【請求項７】
表示部、入力部、制御部を少なくとも備えた電子機器と前記電子機器に外部表示装置が接続された場合に前記電子機器の本体表示画面と前記外部表示装置の外部表示画面とに対する表示が可能なマルチモニタ表示制御方法であって、
前記外部表示装置が前記電子機器に接続され、かつ、前記本体表示画面及び前記外部表示画面に対するマルチモニタ表示制御処理の表示モードが予め設定保存されていない場合、前記マルチモニタ表示制御処理を一時停止するとともに、前記マルチモニタ表示制御処理の表示モードを選択する表示モード選択画面を表示出力し、前記表示モード選択画面で選択された表示モードに対応するマルチモニタ表示制御処理を実行させ、前記外部表示装置が前記電子機器に接続され、かつ、前記本体表示画面及び前記外部表示画面に対するマルチモニタ表示制御処理の表示モードが予め設定保存されている場合、前記マルチモニタ表示制御処理を一時停止するとともに、設定保存された表示モードを表示して該表示モードの選択確認を促す選択確認ポップアップ画面を表示し、該選択確認ポップアップ画面の表示後、所定時間経過前に該選択確認ポップアップ画面が選択された場合、前記表示モード選択画面を表示出力し、前記表示モード選択画面で選択された表示モードに対応するマルチモニタ表示制御処理を実行させ、該選択確認ポップアップ画面の表示後、該選択確認ポップアップ画面が選択されず所定時間経過した場合、該選択確認ポップアップ画面を消去し、該選択確認ポップアップ画面に表示された表示モードに対応するマルチモニタ表示制御処理を実行させることを特徴とするマルチモニタ表示制御方法。
【請求項８】
前記表示モード選択画面とともに、選択された表示モードを保存するか否かのチェックボックスを表示し、保存がチェックされた場合に、選択された表示モードを保存することを特徴とする請求項７に記載のマルチモニタ表示制御方法。
【請求項９】
前記表示モードは、前記本体表示画面のみに表示する本体表示モード、前記本体表示画面及び前記外部表示画面に同一の表示内容を表示するミラー表示モード、前記外部表示画面を前記本体表示画面のサブ表示画面とする拡張表示モード、及び前記外部表示画面のみに表示する外部表示モードのいずれかであることを特徴とする請求項７または８に記載のマルチモニタ表示制御方法。
【請求項１０】
前記表示モード選択画面、前記チェックボックス、または前記選択確認ポップアップ画面を、前記外部表示画面に表示することを特徴とする請求項７〜９のいずれか一つに記載のマルチモニタ表示制御方法。
【請求項１１】
前記外部表示装置は、プロジェクタであり、外部表示画面は投影画面であることを特徴とする請求項７〜１０のいずれか一つに記載のマルチモニタ表示制御方法。
【請求項１２】
前記表示モード選択画面を表示するためのアイコンを表示画面上に配置することを特徴とする請求項７〜１１のいずれか一つに記載のマルチモニタ表示制御方法。